(57)【特許請求の範囲】
【請求項１】
オブジェクト指向のソフトウェア構成を採用したデジタル交換機のパス制御を行う仮想発着分離通話路パス制御装置において、
通話路パスオブジェクトと端子オブジェクトを設置してこのオブジェクトにメッセ−ジを送出することにより通話路パスの制御を行うパス設定手段と、
自交換機内接続を行う場合に仮想的な出側端子オブジェクトと入側端子オブジェクトで構成される仮想折り返しトランクを設置して一つの物理的通話路パスを２つの仮想的な通話路パスオブジェクトに分離するパス分離手段と、
自交換機内接続を発側接続処理と着側接続処理に分離し、発側接続要求と着側接続要求の組み合わせに応じて通話路に送出するパス接続要求を決定する制御処理分離手段を具備することを特徴とする仮想発着分離通話路パス制御装置。
【請求項２】
オブジェクト指向のソフトウェア構成を採用したデジタル交換機のパス制御を行う仮想発着分離通話路パス制御方法において、
通話路パスオブジェクトと端子オブジェクトを設置してこのオブジェクトにメッセ−ジを送出することにより通話路パスの制御を行い、
自交換機内接続を行う場合に仮想的な出側端子オブジェクトと入側端子オブジェクトで構成される仮想折り返しトランクを設置して一つの物理的通話路パスを２つの仮想的な通話路パスオブジェクトに分離し、
自交換機内接続を発側接続処理と着側接続処理に分離し、下記の表に基づき発側接続要求と着側接続要求の組み合わせに応じて通話路に送出するパス接続要求を決定することを特徴とする仮想発着分離通話路パス制御方法。
【表１】
0003591936.tif 000002
【発明の詳細な説明】
【０００１】
【発明の属する技術分野】
本発明は、オブジェクト指向のソフトウェア構成を採用したデジタル交換機に関し、自交換機内接続処理を発側と着側で分離し独立に制御する場合の通話路パスの制御装置及びその方法に関するものである。
【０００２】
【従来の技術】
一般に、交換機の制御は上り方向と下り方向とで制御内容が異なり、その制御内容もサービスの内容によって異なる。このため例えばある一つの上り方向の制御に対して下り方向の制御が複数種類有る場合、全ての組合せについて制御が満足するように構成する必要がある。そしてその組合せは上り方向の制御が複数種類ある場合は、その複数種類の全ての制御について同様に、下り方向のどの制御が組み合わされても支障ないように構成しておく必要がある。このような組合せによる制御を行っていたため、制御内容は膨大なものになっていた。
【０００３】
そこで制御内容をシンプルにするために、自交換機内接続を発側接続処理と着側接続処理に分離し、図４に示すように物理的な折り返しトランクを使用して物理的に発側接続処理と着側接続処理に分離していた。また、特開平４−５４７９７号公報に記載されている発着サ−ビス分離方式では、発信者側と仮想出トランクとを１つの呼として見て発信側サ−ビスを実行し、仮想入トランクと着信者側とを１つの呼とみて着信側サ−ビスを実行する方式も提案されている。
このようにすれば上り方向と下り方向が独立に制御できるので今までのように相互を組合せた制御機能をあらかじめ用意する必要が無くなり、上り下りとも要求される制御を行うだけのことで足り、制御内容が非常にシンプルになる。
【０００４】
【発明が解決しようとする課題】
しかしながら前者は、物理的な折り返しトランクのため通話路の端子を使用することになり、通話路の使用効率が悪くなり高価になるばかりでなく、折り返しトランクはハードウェアで構成されているため搭載数量に限界があり、むやみに増やすことができないので、全ての折り返しトランクが使用中になると呼損が発生すると言う問題があつた。
後者については、発信側サ−ビスと着信側サ−ビスが物理的に同一の通話路パスを制御するため通話路パスの制御に関して発信側サ−ビスと着信側サ−ビスで相反する制御が要求されるタイミング、例えば発信側はパス接続を要求し、着信側はパス切断を要求するような場合、その調停を行う必要があり、このための整合を取る必要から、独立に制御できなという問題があつた。
本発明はこのような状況に鑑みてなされたもので、発信側と着信側を独立に制御しながら最終接続時に発信側と着信側で処理内容の抵触を起こさないようにしたものである。
【０００５】
【課題を解決するための手段】
このような目的を達成するために本発明は、物理的な折り返しトランクの代わりに仮想折り返しトランクを設けることで、物理的な通話路の端子を用いずに発側接続処理と着側接続処理に分離し、発側接続処理と着側接続処理で独立に行われる物理的に同一の通話路パスに対する制御を仮想的な折り返しトランクで、発側接続要求と着側接続要求の組み合わせに応じて通話路に送出するパス接続要求を決定して整合をとることにより、発側接続処理と着側接続処理で独立に制御可能にするようにしている。
【０００６】
通話路とそれに接続される端子を通話路パスオブジェクトと端子オブジェクトとして、このオブジェクトに接続または切断メッセ−ジを送出することにより、自交換機内接続を行う場合に仮想的な出側端子オブジェクトと入側端子オブジェクトで構成される仮想折り返しトランクを設置して、一つの物理的通話路パスを２つの仮想的な通話路パスオブジェクトに分離し、発側接続処理と着側接続処理で独立に行われる物理的に同一の通話路パスに対する制御をあらかじめ決められた組合せに従って仮想折り返しトランクで整合をとる。
【０００７】
【発明の実施の形態】
図１は本発明の一つの実施の形態の構成を示すブロック図、図２は仮想折り返しトランクの状態を示す図である。本発明では、実際のパス接続形態は図２（ａ）に示すように発側端子と着側端子が直接接続されることになるが、折り返しトランクを仮想化して仮想折り返しトランクとし、出側端子と入側端子に分離するすることにより、図２（ｂ）に示すように発側端子と出側端子の発側パス、着側端子と入側端子の着側パスに分離し独立にパス制御が可能となるようにする。
【０００８】
この様に分離した構成要素を図１に示すように、発側端子は発側端子オブジェクト３、着側端子は着側端子オブジェクト７、仮想折り返しトランク６の出側端子は出側端子オブジェクト４、仮想折り返しトランク６の入側端子は入側端子オブジェクト５、発側パスはパスオブジェクト８、着側パスは着側パスオブジェクト９として構成する。
【０００９】
発側呼制御部１と着側呼制御部２はそれぞれ独立に発側パスオブジェクト８と着側パスオブジェクト９に通話路パス接続要求を送出する。実際の通話路パスは図２（ａ）に示すように一つであるため、通話路１０にパス接続処理を行う場合は、発側パスと着側パスの整合をとる必要がある。ここで、整合とは発側と着側のパス制御が抵触しないように制御する状態である。
【００１０】
そこで、仮想折り返しトランク６の出側端子オブジェクト４および入側端子オブジェクト５の各オブジェクトは、図３に示すように、発側のパス接続要求と着側のパス接続要求の組合せに合わせて、実際に通話路１０に送出するパス接続要求を決定する。図３において一例を示すと、発側が上り接続で、着側が両方向接続の場合は、上り接続の処理を決定することになる。
【００１１】
以上のように仮想折り返しトランク６で発側パスと着側パスの整合をとり通話路制御を行うことにより、発側呼制御１と着側呼制御２がそれぞれ独立に通話路を制御できるようになる。
【００１２】
次に具体的動作を図１を用いて説明する。発側端子オブジェクト３に接続される図示しない発信側加入者からの発信により、発側呼制御部１で発側パスに上り接続の要求を検出した場合、発側呼制御部１は発側パスオブジェクト８に対して上り接続要求を送出し、発側パスオブジェクト８は出側端子オブジェクト４に接続収容位置を問い合わせる。出側端子オブジェクト４は仮想折り返しトランク６であることから、その問い合わせを受けると入側端子オブジェクト５を経由して着側パスオブジェクト９に着側端子オブジェクト７の接続収容位置情報を収集する制御を行うようになっている。
【００１３】
このとき、着側はまだ呼出が行われておらず、応答もしていないためパス切断中であり、このときの制御は図３に従って行われる。すなわち、発側は上り接続要求中、着側はパス切断中であるため、図３に従ってパス切断と判定するので、発側は本来上り接続のパスを設定する制御を行うタイミングであるが、着側との整合をとって、この段階ではまだパス接続は行わない。
【００１４】
その後、着信端子オブジェクト７に接続される図示しない着側加入者が応答をして、着側呼制御部２で着側パスに両方向接続の要求が検出された場合は、着側呼制御部２は着側パスオブジェクト９に対して両方向接続要求を送出し、着側パスオブジェクト９は入側端子オブジェクト５に接続収容位置を問い合わる。このとき入側端子オブジェクト５は仮想折り返しトランク６のため出側端子オブジェクト４を経由して発側パスオブジェクト８に発側端子オブジェクト３の接続収容位置情報を収集するようになっている。
【００１５】
このとき、発側が上り接続要求であって、着側は両方向接続要求であることから、このタイミングにおいて図３から上り接続を行えばよいことがわかる。このことから発側パスオブジェクト８は通話路１０に対して上り接続の要求を送出する。これにより発側パスオブジェクト８は先に説明したように、発側端子オブジェクト３の接続収容位置情報と、着側端子オブジェクト７の接続収容位置情報を収集しているので、着側端子と発側端子との間に上り方向のパスを設定する。
【００１６】
従って、この例では最終的な接続は上り接続すなわち発呼者から一方的に情報を伝送する、例えば放送のような形態の信号伝送が行われるようになる。このとき双方向で通信をしたければ発側で両方向接続要求を出せば良い。
この様に、発側の交換サ−ビスと着側の交換サ−ビスを分離し独立に制御する発着分離制御方式が可能となり、交換サ−ビスの実現が容易となる。
【００１７】
【発明の効果】
以上説明したように、本発明は仮想折り返しトランクを設置することにより発側接続処理と着側接続処理を分離するため、物理的な通話路端子を使用することなく発側接続処理と着側接続処理を分離でき経済的であり、また物理的な折り返しトランクが全て使用中の場合は呼損が発生するが、本発明は物理的な折り返しトランクを使用しないので、そのことによる呼損は発生しない。更に、発側接続処理と着側接続処理に仮想的に分離する事によりそれぞれが独立に通話路パスを制御するため、物理的に同一の通話路パスに対して両方から制御されるため競合が発生するのを仮想折り返しトランクで、発側接続要求と着側接続要求の組み合わせに応じて通話路に送出するパス接続要求を決定して整合することにより、発側接続処理と着側接続処理を完全に分離できる効果がある。
【図面の簡単な説明】
【図１】本発明の一つの実施の形態を示すブロック図である。
【図２】仮想折り返しトランクを説明するための図である。
【図３】発側及び着側の接続要求に対する制御状態を判定するための図である。
【図４】従来の折り返し状態を説明するための図である。
【符号の説明】
１…発側呼制御部、２…着側呼制御部、３…発側端子オブジェクト、４…出側端子オブジェクト、５…入側端子オブジェクト、６…仮想折り返しトランク、７…着側端子オブジェクト、８…発側パスオブジェクト、９…着側パスオブジェクト、１０…通話路。
【図１】
0003591936.tif 000003
【図２】
0003591936.tif 000004
【図３】
0003591936.tif 000005
【図４】
0003591936.tif 000006